(57)【特許請求の範囲】
【請求項１】
携帯電話の本体に、該携帯電話の着信信号を受信する受信機と、常時微弱な電波を発射しており前記受信機の受信時にのみ電波の発射を停止する発信機とを有するトランスミッタの本体を取付けると共に、前記トランスミッタの微弱な電波を受信する受信機と該受信機の出力信号が無となったときにバイブレータを作動させるコントローラを有するレシーバを設け、
前記トランスミッタの発信機の作動を短時間で間欠的に繰り返させ、前記レシーバの受信機の作動を前記発信機の作動時間より僅かに変えた時間で間欠的に繰り返させることを特徴とする携帯電話の着信呼出装置。
【請求項２】
携帯電話の本体に、該携帯電話の着信信号を受信する受信機と、常時微弱な電波を発射しており前記受信機の受信時には、所定時間継続する第１のパルス信号と、携帯電話のＩＤ信号を表すために第１のパルス信号に続いて発射される第２のパルス信号と、携帯電話の着信コードを表すために第２のパルス信号に続いて発射される第３のパルス信号の組合せを発信する発信機とを有するトランスミッタの本体を取付けると共に、前記トランスミッタの微弱な電波を受信する受信機と、前記第２、第３のパルス信号を受けたときにバイブレータを作動させるコントローラを有するレシーバを設け、
前記トランスミッタの発信機の作動を短時間で間欠的に繰り返させ、前記レシーバの受信機の作動を前記発信機の作動時間より僅かに変えた時間で間欠的に繰り返させることを特徴とする携帯電話の着信呼出装置。
【発明の詳細な説明】
【０００１】
【発明の属する技術分野】
本発明は、携帯電話あるいはパーソナル・ハンディホン・システム（ＰＨＳ）等に併用して、これらの使用性を高めることができる、携帯電話の着信呼出装置に関するものである。
【０００２】
【従来の技術】
携帯電話（ＰＨＳを含む。以下同じ）は、電源スイッチをオンにした待機状態において受信すると、基地局に対して受信したことを知らせる着信信号を発する。基地局はその着信信号を発した携帯電話のＩＤ番号を確認し、料金の未払がないか等のデータを検索する。この結果、ＩＤ番号が一致し、かつ料金未払い等の不良データを見出さないときには発信元に接続し、通話を許容する。
【０００３】
携帯電話の呼出しも、屋内用の通常の電話機同様にベル（電子ブザー）を吹鳴させて行うのが普通であるが、携帯電話の特殊性から、音によらずに振動で着信信号を知らせるものが多くなってきている。このために用いられるバイブレータの一般的な構造は、超小型のいわゆるマイクロモータの出力軸に分銅を偏心させて取付け、出力軸が回転するとき、その分銅が振動を発生させるようにしたものが多い。
【０００４】
この方式のバイブレータを携帯電話の本体内に収納しておけば、携帯電話を身体の振動を感ずる部位に所持することにより、着信を音によらずに認識することができるが、この種の携帯電話の数はきわめて少ないのが現状である。そこで案出され、使用者が急増しているものに、バイブレータと電源である電池ならびに携帯電話の着信信号を受信する受信機を単独のケースに入れたものがある。これは、受信機によって携帯電話の着信信号を受信したときにバイブレータを作動させることにより、所持者に着信を告知するものである。
【０００５】
ところで携帯電話の着信信号は、端末機のそれぞれについて周波数を細かく変えているわけではないので、上記のバイブレータでは、携帯電話の着信信号が受信できる範囲（一例として半径１〜２メートル程度の範囲）に携帯電話を所持している者が複数人いると、そのうちの誰の携帯電話にかかってきてもそれによって発信される着信信号でバイブレータが作動してしまうことになる。したがって自分の携帯電話が着信したものと誤認してしまう虞がある。また、携帯電話の着信信号以外の電波、たとえば放送送信所の電波や移動無線装置の電波等にも感応してしまうことがある。
【０００６】
【発明が解決しようとする課題】
本発明はこの点に鑑みてなされたものであり、自分の携帯電話の着信信号以外には応じにくくすると共に、携帯電話の置き忘れをしそうになったときにも振動を発生してそれを知らせる、しかも、電源電池の消耗が少なく長期間の使用が可能な携帯電話の着信呼出装置を提供しようとするものである。
【０００７】
【課題を解決するための手段】
本発明は、上記課題を解決するための手段として、請求項１に記載された発明においては、携帯電話の本体に、該携帯電話の着信信号を受信する受信機と、常時微弱な電波を発射しており前記受信機の受信時にのみ電波の発射を停止する発信機とを有するトランスミッタの本体を取付けると共に、前記トランスミッタの微弱な電波を受信する受信機と該受信機の出力信号が無となったときにバイブレータを作動させるコントローラを有するレシーバを設け、前記トランスミッタの発信機の作動を短時間で間欠的に繰り返させ、前記レシーバの受信機の作動を前記発信機の作動時間より僅かに変えた時間で間欠的に繰り返させることを特徴とする。
【０００８】
また、請求項２に記載された発明においては、携帯電話の本体に、該携帯電話の着信信号を受信する受信機と、常時微弱な電波を発射しており前記受信機の受信時には、所定時間継続する第１のパルス信号と、携帯電話のＩＤ信号を表すために第１のパルス信号に続いて発射される第２のパルス信号と、携帯電話の着信コードを表すために第２のパルス信号に続いて発射される第３のパルス信号の組合せを発信する発信機とを有するトランスミッタの本体を取付けると共に、前記トランスミッタの微弱な電波を受信する受信機と、前記第２、第３のパルス信号を受けたときにバイブレータを作動させるコントローラを有するレシーバを設け、前記トランスミッタの発信機の作動を短時間で間欠的に繰り返させ、前記レシーバの受信機の作動を前記発信機の作動時間より僅かに変えた時間で間欠的に繰り返させることを特徴とする。
【００１０】
請求項１に記載された発明によれば、携帯電話を使用していないときにはトランスミッタから常時微弱な電波が発射されており、携帯電話が呼び出されたときにはその電波が停止するので、レシーバ側は電波が停止したときにバイブレータを作動させて使用者に着信したことを告知する。電波が停止したときにバイブレータが作動するので、携帯電話をどこかに置いたままその場所を離れようとしたときには、そのとき出ている電波が届かないことになってバイブレータが作動し、携帯電話の所持者にその置き忘れを告知する。トランスミッタの発射電波は非常に微弱であることから、他人の携帯電話、放送送信所の電波や移動無線装置の電波等に感応することはない。
また、トランスミッタの電波発射およびレシーバの電波受信ともに間欠的に行うので、電池の消耗を少なくすることができる。そしてレシーバの受信機の作動がトランスミッタの発信機の作動時間より僅かに短い時間で間欠的に繰り返すので、トランスミッタからの信号をレシーバが捉え損なうことがない。
【００１１】
請求項２に記載された発明によれば、トランスミッタから発射される電波が３種類になり、レシーバは、そのうちのＩＤ番号を表す第２のパルス信号と着信コードを表す第３のパルス信号を検出したときにバイブレータを作動させる。そして第３のパルス信号が検出されないときにはバイブレータを作動させないことになる。この発明は、携帯電話が着信したときにもトランスミッタの発射電波は停止させない点で、請求項１に記載された発明と相違する。
また、トランスミッタの電波発射およびレシーバの電波受信ともに間欠的に行うので、電池の消耗を少なくすることができる。そしてレシーバの受信機の作動がトランスミッタの発信機の作動時間より僅かに短い時間で間欠的に繰り返すので、トランスミッタからの信号をレシーバが捉え損なうことがない。
【００１３】
【発明の実施の形態】
本発明の一実施形態を図１について説明する。１は携帯電話であり、２はこの携帯電話１の本体（ケーシング）に両面接着テープ等により一体的に取付けられたトランスミッタである。トランスミッタ２からは断続的に微弱な電波３が発射され、レシーバ４がこの電波３を受信する。トランスミッタ２とレシーバ４の構成については後述するが、レシーバ４にはバイブレータが内蔵されており、作動したときの振動でこれを所持する者に携帯電話１が着信したことを告知する。
【００１４】
図２はトランスミッタ２の回路構成を示すものである。トランスミッタ２は、携帯電話１の着信信号を受信する受信機５と、この受信機５の出力信号を受け、その出力信号があるときにのみ次段の発信機７の出力を停止させ、受信機５に出力信号がないときには発信機７に出力信号を生じさせるコントローラ６と、電源となる電源回路８から構成される。電源回路８はコントローラ６からの間欠信号を受け、その信号に対応して発信機７への電源供給を行う。
【００１５】
受信機５は、コイルおよびコンデンサからなる同調回路、同調回路の出力信号を整流するダイオード等から構成されており、トランスミッタ２のケース内に収容されたアンテナ９に電波を受けたときに、出力側に所定レベルの出力信号を発生させるものである。同調回路は帯域幅を広くとってあり、すべての携帯電話の着信信号に対応するようになっている。ただし受信感度をきわめて小さくして、トランスミッタ２を取付けた携帯電話１以外の電波には反応しないようにしてある。
【００１６】
受信機５の出力側にはコントローラ６の入力側が接続されている。このコントローラ６は、たとえばインバータ回路とタイマ回路から構成され、入力があったときに出力が生じないようにする反転機能と、一定間隔たとえば２秒間隔で間欠的に出力を発生させる機能を持つ。電源回路８はこの信号に応じ、発信機７への電源供給を間欠的に行う。発信機７は微弱な出力のものであり、コントローラ６の出力に対応して出力電波を発する。発信機７のアンテナ１０も受信機５のアンテナ９と同様に、トランスミッタ２のケース内に収容されている。
【００１７】
図３に示すものはレシーバ４の回路構成である。レシーバ４は、アンテナ１１と受信機１２、コントローラ１３、バイブレータ１４および電源回路１５とから構成される。受信機１２の回路はトランジスタあるいはＩＣ等を用いたものであるが、同調周波数はトランスミッタ２の発信機７の発振周波数に合わせてある。
【００１８】
コントローラ１３は、トランスミッタ２のコントローラ６の間欠時間より僅かに短い一定間隔、たとえば１．８秒間隔で間欠的に出力信号を発し、受信機１２への電源供給を制御する。コントローラ１３はさらに、受信機１２の出力信号が途絶えたときにバイブレータ１４が作動するような制御もする。受信機１２の出力信号が途絶えるのは、コントローラ１３によって電源供給が絶たれたときと、トランスミッタ２の発信機７から電波が来なくなったときであるが、前者の場合はバイブレータ１４への電源供給も絶つので、後者の場合にのみバイブレータ１４が作動する。
【００１９】
バイブレータ１４は、コントローラ１３の出力信号に制御されて作動するもので、作動したとき、レシーバ４のケースを振動させるものである。振動を発生させる構造は限定しないが、一例として、小型モータの出力軸に分銅を偏心させて取付けたものを考えることができる。
【００２０】
トランスミッタ２の電源回路８、レシーバ４の電源回路１５ともに電池とスイッチ回路（図示せず）で構成される。電池としては、いわゆるボタン電池等の小型のものを使用する。トランスミッタ２およびレシーバ４ともに間欠的に電流を流すようにしてあることから、節電効果が上がり、この種の電池であっても長時間の使用が可能となる。
【００２１】
作動を説明する。携帯電話１に取付けられたトランスミッタ２の発振器７は、携帯電話１が使用されない状態において、アンテナ１０から一定間隔で間欠的に電波を発射する。間欠のタイミングは、前述したように一例として２秒間隔である。携帯電話１が基地局から呼び出されると、携帯電話１は基地局に向けて着信信号を発する。トランスミッタ２の受信機５はこの電波を受信し、コントローラ６を介して発信機７の作動を停止させる。
【００２２】
携帯電話１の使用者が身に付けたレシーバ４の受信機１２は、トランスミッタ２からの電波３を常時受信している。前述のように、この電波を受信しているときはバイブレータ１４は作動しない。携帯電話１が基地局に向けて着信信号を発すると、トランスミッタ２の発信機７は発振を停止する。するとレシーバ４の受信機１２に出力が生じなくなるので、コントローラ１３はバイブレータ１４を作動させ、レシーバ４を身に付けた携帯電話１の所持者に着信を告知する。これにより通話に入る。
【００２３】
このようにレシーバ４のバイブレータ１４は、受信機１２が電波を受信しなくなったときに作動するので、携帯電話１の所持者が携帯電話１をどこかに置いたまま立ち去ろうとし、一定距離（たとえば１〜２メートル）離れることによって、トランスミッタ２の電波をレシーバ４が受けられなくなったときにも作動する。これにより、置き忘れを効果的に防止することができる。
【００２４】
図４は、トランスミッタ２の間欠作動時間▲１▼とレシーバ４の間欠作動時間▲２▼のずれを示すものである。トランスミッタ２は一定時間（一例として２秒間）に１回の間欠動作をする。レシーバ４はトランスミッタ２からの電波３を確認するとトランスミッタ２と同時にオフになり、次にオンになるタイミングは前述のとおりトランスミッタ２の動作より僅かに早く（トランスミッタ２ＧＡ２秒であるのに対してレシーバ４は１．８秒）から受信動作を始める。そしてトランスミッタ２からの電波を待ち受ける。
【００２５】
このように動作することにより、トランスミッタ２とレシーバ４の間欠動作は同期がとれることになる。したがってトランスミッタ２から電波３が途絶えた場合、レシーバ４の電源はオフにならなくなる。レシーバ４は数回分（２秒×３回＝６秒）の間待っても電波３を確認できないときには受信動作をやめ、バイブレータを動作させて所持者に通報することになる。
【００２６】
図５は、トランスミッタ２の発射する電波の内容を変えたことを示す波形図である。この発射電波は、所定時間継続する第１のパルス信号Ａと、携帯電話のＩＤ番号を表すために第１のパルス信号に続いて発射される第２のパルス信号Ｂと、携帯電話の着信コードを表すために第２のパルス信号に続いて発射される第３のパルス信号Ｃとを組合せたものになっている。この実施の形態の場合、第１のパルス信号Ａはトランスミッタ２から常時発射されており、第２、第３のパルス信号Ｂ，Ｃは受信時に発射される。
【００２７】
第１のパルス信号Ａは１個であるが、第２、第３のパルス信号Ｂ，Ｃはそれぞれ複数個になっている。３種のパルス信号の長さ（時間）は、第１のパルス信号Ａがもっとも長く、第２のパルス信号Ｂと第３のパルス信号Ｃはこれより短く（Ｂ＞Ｃ）なっているが、第２、第３のパルス信号Ｂ，Ｃの長さは逆にしてもよい。
【００２８】
トランスミッタ２から、このように組み合わされた電波が発射されたとき、レシーバ４の受信機１２は送信側より長い間隔で間欠的に受信をし、第１ないし第３のパルス信号Ａ〜Ｃのすべてが受信できるようにする。この受信を数回行い、そのうちのＩＤ番号が合致し、かつ、着信信号である第３のパルス信号Ｃの検出ができたときには、携帯電話が着信したものと判断し、バイブレータ１４を作動させて所持者に着信を伝達する。トランスミッタ２からの電波を受けても、そのなかに第３のパルス信号Ｃの検出ができないときには、着信なしと判断してバイブレータ１４を作動させない。
【００２９】
この実施の形態においても、レシーバ４に、トランスミッタ２からの電波が感知できなくなったときにはバイブレータ１４を作動させる機能は与えておく。これにより、携帯電話１の所持者が携帯電話１をどこかに置いたまま立ち去ろうとし、一定距離（たとえば１〜２メートル）離れたことにより、トランスミッタ２の電波をレシーバ４の受信機１２が受けられなくなったときに作動し、置き忘れを防止することになる。この場合においてバイブレータ１４の動き方を、着信と置き忘れで変えておくと、着信か置き忘れかがわかることになる。
【００３０】
【発明の効果】
本発明は、以上説明したように構成された携帯電話の着信呼出装置であるから、請求項１に記載された発明によれば他人の携帯電話や他の無線設備等で誤動作を生ずることのない、また携帯電話の置き忘れも防止できる着信呼出装置を得ることができる。しかも、請求項１に記載された発明によれば節電効果が上り、電池を長期間にわたって使用できることになる。
請求項２に記載された発明では、トランスミッタの発射する電波のなかに着信信号があってこれが検出され、ＩＤ番号も合致したときにバイブレータが作動するから、近接したところに複数の携帯電話が存在しても、そのうちの特定の１個のみについてバイブレータを作動させることができ、誤作動を皆無にすることができる。また携帯電話の置き忘れも防止できる。しかも、この請求項２に記載された発明によれば節電効果が上り、電池を長期間にわたって使用できることになる。
【図面の簡単な説明】
【図１】本発明の一実施形態の説明図である。
【図２】図１中のトランスミッタの回路図である。
【図３】図１中のレシーバの回路図である。
【図４】トランスミッタとレシーバの間欠作動時間を示す説明図である。
【図５】トランスミッタが発射する電波の内容を変えた場合を示す波形図である。
【符号の説明】
１    携帯電話
２    トランスミッタ
３    電波
４    レシーバ
５    受信機
６    コントローラ
７    発信機
８    電源回路
１２  受信機
１３  コントローラ
１４  バイブレータ
１５  電源回路
【図１】
0003858208.tif 000002
【図２】
0003858208.tif 000003
【図３】
0003858208.tif 000004
【図４】
0003858208.tif 000005
【図５】
0003858208.tif 000006